(57)【特許請求の範囲】
【請求項１】
壁面に、後面側が前記壁面側となるように取り付けられる取付基体と、
前記取付基体の前面に設けられ、左右両側に張出部を有した機器外殻内に不審者を認識するための認識用機器を収納してなる認識部と、
前記認識部のカバーであって、後面の他に少なくとも下面を開放し、前記認識部の前記機器外殻に前方から被せるようにして前記取付基体の前面に配置されるカバーと、
前記カバーの前記下面側における左右の両側壁の内面に、当該左右の両側壁の後端から前方向に延びるように突出して形成されたボス部と、
前記ボス部にその後端から前方に向かって延びるように形成された螺着穴と、
前記取付基体の後側から当該取付基体に形成された通し孔に通されて前記カバーの前記螺着穴に螺着され、前記カバーを取付基体に固定する所定長さの取付ねじと、を備え、
前記左右のボス部の間隔寸法は、前記機器外殻の前記張出部における横幅寸法よりも狭く定められ、
前記左右のボス部の後端部のうち、少なくとも、前記機器外殻の前記張出部における横幅と同寸法の間隔内に入る部分に斜面を形成し、前記カバーを前記取付基体の前面に配設するとき前記斜面が前記張出部に当接することによって前記カバーの左右の両側壁が弾性的に拡開して前記ボス部が前記張出部を通過することを許容する、
セキュリティ装置。
【請求項２】
前記取付基体の後面部に、前記取付ねじの頭部を沈ませるための座ぐり穴を、前記カバーの後端面から前記斜面に開口する前記螺着穴の周縁部のうち最も遠い縁部までの距離と同寸法以上の深さとなるように形成した、
請求項１に記載のセキュリティ装置。
【発明の詳細な説明】
【技術分野】
【０００１】
本発明は不審者を認識する認識部を備えたセキュリティ装置に関する。
【背景技術】
【０００２】
この種のセキュリティ装置は、建物の壁面に取り付けられる取付基体を有し、この取付基体の前面に認識部を設けている。認識部は、例えば個体識別端末（ＲＦＩＤタグ）と通信する通信装置（タグリーダ）やカメラなどの機器を機器外殻内に収納してなる。
【０００３】
認識部はカバーを有している。このカバーは、後面が開放され、取付基体に取り付ける際には、前方から認識部の機器外殻に被せるようにして取付基体の前面に押し当てられ、固定される。カバーは上部にフード部を有し、フード部より下の部分は後面の他に下面および前面を開放したガード部、つまり左右一対の側壁からなるガード部となっている。フード部は機器外殻の上部を上、前および左右両側から覆うようになっており、ガード部は機器外殻の下部を左右両側から挟むようにして覆う。
【０００４】
カバーは、後端部内面にボス部を突出形成しており、取付基体にその裏側から通された取付ねじを上記ボス部に螺着することによって取付基体の前面に締め付け固定される。この場合、取付基体の前面には、ガスケットが配置されていて、カバーを締め付け固定すると、当該ガスケットが取付基体とカバーとの間に挟み付けられて両者間をシールするようになっている。
【０００５】
セキュリティ装置ではないが、特許文献１，２には、いずれもスナップフィット結合による部品の取付構造が開示されている。
【先行技術文献】
【特許文献】
【０００６】
【特許文献１】特開平７−２９３０８０号公報
【特許文献１】特開２００３−２６９４１７号公報
【発明の概要】
【発明が解決しようとする課題】
【０００７】
認識部の機器外殻は左右両側に張出部を有している。一方、カバーのガード部の左右両側壁の間隔は、認識部の機器外殻の張出部における横幅寸法と同じか若干大きい程度に定め、スリム化の要求に対処している。
ガード部のボス部は、ガード部の左右両側壁の内面に突出して形成されている。このため、カバーを取り付けるときに機器外殻に前方から被せる際、ガード部のボス部が途中で機器外殻の張出部に当ってしまう。そこで、ガード部の左右両側壁を両手で押し広げてボス部が機器外殻の張出部に当らない状態に保ちながら、カバーを前方から機器外殻に被せてゆく。そして、ボス部が張出部を通過してから指の力を抜いてガード部の左右両側壁の広がりを解き、取付基体の前面にカバーを当てて取付ねじをボス部に螺着するようにしている。
【０００８】
しかしながら、これでは、カバーを機器外殻に被せる際、ガード部の左右の両側壁を両手で押し広げながら行わねばならないので、作業性が悪く、しかも、ガード部の左右両側壁の内側に入れた指が、機器外殻とガード部の左右両側壁との間に挟まれたりする恐れがある。
【０００９】
なお、スナップフィット結合を上記カバーの取付構造に採用すれば左右両側壁を押し広げる必要がなくなる。しかし、ガスケットは合成ゴム製で、取付基体とカバーとの間で強く押圧されないと十分なシール効果が得られないという事情があるが、スナップフィット結合では、ガスケットを強く押圧したときの反発力に耐え切れず、カバーが外れてしまう恐れがある。このため、カバーの取り付けを、ねじ止めからスナップフィット結合に変更することは難しい。
【００１０】
本発明は上記の事情に鑑みてなされたもので、その目的は、カバーの取り付け時において、左右の両側壁を押し広げる必要がなく、作業性の向上を図ることができるセキュリティ装置を提供することにある。
【課題を解決するための手段】
【００１１】
本発明では、カバーの左右両側壁の内面に突出形成したボス部の後端部のうち、少なくとも、認識部の機器外殻の張出部における横幅と同寸法の間隔内に入る部分に斜面を形成し、カバーを取付基体の前面に配設するとき斜面が張出部に当接することによってカバーの左右両側壁が弾性的に拡開してボス部が張出部を通過することを許容するようになすので、カバーの左右両側壁を両手で広げずとも済み、作業性が向上する。
【００１２】
また、取付基体の後面部に、取付ねじの頭部を沈ませるための座ぐり穴を形成し、その座ぐり穴の深さを、カバーの下面側における後端面から斜面に開口する螺着穴の周縁部のうち最も遠い縁部までの距離と同寸法以上となるように定めたので、取付ねじの螺着穴に対する完全な螺合部分の長さが斜面の形成によって短縮されることがなく、取付ねじの締め付け力に十分に対抗することができる。
【図面の簡単な説明】
【００１３】
【図１】本発明の一実施形態を示す要部の断面図
【図２】ボス部の斜視図
【図３】上カバーを取付基体に取り付ける場合の状態変化を示す断面図
【図４】上カバーの底面図
【図５】取付基体から上カバーを外して示す斜視図
【図６】取付基体に上カバーを取り付けて示す斜視図
【図７】セキュリティ装置全体の側面図
【図８】同正面図
【発明を実施するための形態】
【００１４】
以下、本発明の一実施形態を図面に基づいて説明する。図７および図８に示すように、セキュリティ装置１は、建物の外壁面２に取り付けられた取付基体３の前部（前面）に、センサ４と認識部５とを設けてなる。なお、セキュリティ装置１において、前後（表裏）は外壁面２に取り付けられたとき外壁面２側となる側を後（裏）とし、その反対側を前（表）とする。また、左右は、セキュリティ装置１を前側から見たとき、左手側を左、右手側を右とする。
【００１５】
センサ４は、センサケース６内に、例えばレーザー光出射部および反射光検出部から構成されたレーザーレーダ（図示せず）などを設けてなり、前方の検出エリアに向けてレーザー光を水平に出射し、その反射光を検出することによって検出エリア内への侵入者を検出する。
認識部５は、センサ４の上側に配置され、機器外殻７内に、認識用機器として例えばタグリーダ（通信機）およびカメラを収納してなる。タグリーダは、センサ４によって侵入者が検出されると、ＲＦＩＤタグ（個体認識端末）と通信する電波を出力し、予め登録されたＩＤ情報をもったＲＦＩＤタグからの応答電波を受信したときには、侵入者は不審者ではないと判断する。また、カメラは、検出エリア内を撮影し、その撮影画像は建物内に設置されたモニターに表示されると共に、記録装置に記録される。
【００１６】
認識部５の機器外殻７は、上下方向に長い下収納ケース８の上に、左右方向幅および前後方向奥行きが下収納ケース８よりも大きい偏平な四角箱形の上収納ケース９を配置して構成されている。なお、上収納ケース９内にはタグリーダが収納され、下収納ケース９内にはカメラが収納されている。
【００１７】
下収納ケース８は、図３、図５および図６に示すように、後部の四角いケース本体１０（図３、図５および図６では上部）に、前部のほぼ半円形をなす蓋ケース１１を被せた形態のもので、全体としてかまぼこ型をなしている。下収納ケース８の左外側面および右外側面は互いに平行をなしており、この左外側面および右外側面の前後方向の途中部位には、上下方向に延びる張出部８ａ，８ｂが横方向に突出して形成されている。これら両張出部８ａ，８ｂと取付基体３の前面との間には、隙間Ｇ１（図３（ａ）参照）が形成されている。
【００１８】
図７および図８に示すように、取付基体３の前部には、上カバー１２と下カバー１３が配設されている。上カバー１２は認識部５のもので、後述する取付ねじ１４によって取付基体３に固定される。下カバー１３はセンサ４のもので、スナップフィット結合によって取付基体３に取り付けられる。なお、スナップフィット結合とは、取付基体３および下カバー１３のうちの一方（例えば下カバー１３）に突出形成された複数の弾性係合爪片を他方（例えば取付基体３）に形成された係合孔に弾性係合させて結合するという周知構成のものである。
【００１９】
上カバー１２は、図５にも示すように、上部のフード部１５と、下部のガード部１６とを備えている。この上カバー１２は、後面の全体が開放されており、取付基体３に取り付ける際には、認識部４の機器外殻７に前方から被せるようにして取付基体３の前面に当てられる。
フード部１５は、機器外殻７の上収納ケース９の全体を覆うもので、後面の他に、下面の一部が下収納ケース８の外形状に合わせて開放されている。ガード部１６は、フード部１５の下面の開放部１５ａの後半部の左右両側から下方に延長された左右一対の側板部１７，１８からなり、下端部分の前部には、これら左側板部１７および右側板部１８間を連結する半円状の橋架部１９が形成されている。従って、ガード部１６は、後面の他に少なくとも下面、この実施形態では下面と前面とが開放されていて、左側板部１７および右側板部１８によって下収納ようきケース８を左右両側から挟むようにして覆うようになっている。
【００２０】
取付基体３の前面および認識部５の下収納ケース８の張出部８ａ，８ｂの上部には、例えば合成ゴムからなるガスケット２０（図１参照）が取り付けられている。なお、ガスケット２０は取付基体３の前面のもののみ図示した。そして、上カバー１２が取付ねじ１４によって取付基体３に締め付け固定されると、フード部１５の後面の周縁部、ガード部１６の左側板部１７および右側板部１８の後端部が取付基体３の前面のガスケット２０に押圧されると共に、ガード部１５の左側板部１７および右側板部１８の前端縁が下収納ケース８の張出部８ａ，８ｂのガスケットに押圧される。これにより、上カバー１２と取付基体３および左右両側板部１７，１８と下収納ケース８との間がシールされ、上カバー１２内への雨水の侵入が防止される。
【００２１】
一方、下カバー１３は、図７および図８に示すように、胴部２１の下端部に、大形のフード部２２を形成した形態のもので、後面、上面および下面がいずれも開放されている。そして、この下カバー１３は、胴部２１の上部分が上カバー１２の例えば橋架部１９が形成された下端部に前方から重ねられるようにしてセンサ４のセンサケース６の上部を覆うように取付基体３に取り付けられる。
【００２２】
さて、上カバー１２のガード１６を構成する左側板部１７および右側板部１８の間隔Ｄ１は、下収納ケース８の左右両張出部８ａ，８ｂにおける横幅Ｗよりも僅かに大きく設定されている。この間隔Ｄ１を横幅Ｗよりも僅かに大きい程度とすることにより、上カバー１２の横幅の増大化を防止している。なお、上記間隔Ｄ１は上記横幅Ｗと同じであっても良い。
【００２３】
ガード１６の左側板部１７および右側板部１８の下面寄りの内面には、後端から前方向に伸びる所定長さのボス部２３が突出形成されている。この場合、ボス部２３の前後方向長さＬ（図１参照）は、張出部８ａ，８ｂと取付基体３の前面との隙間Ｇ１以下に定められている。また、フード部２２の内周面の複数個所にも、後端部から前方向に伸びる所定長さのボス部２４が突出形成されている。これら、ボス部２３，２４には、図１および図２に示すように、螺着穴２５が形成されている。なお、螺着穴２５はボス部２３のもののみ図示した。螺着穴２５は円形穴で、取付ねじ１４は、この螺着穴２５の内面に自らの作用でねじの山谷を形成するセルフタッピングねじからなっている。
【００２４】
ボス部２３の左右両側板部１７，１８の内面からの突出高さｈは、上カバー１２を取付基体３に取り付けた状態で示す図３（ｅ）において、左右の各側板部１７，１８と左右の各張出部８ａ，８ｂとの間に生ずる隙間寸法ｇよりも大きい寸法に定められている。従って、左側板部１７のボス部２３と右側板部１８のボス部２３の間隔Ｄ２（図４参照）は、張出部８ａ，８ｂにおける下収納ケース８の横幅寸法Ｗよりも狭くなっている。このため、上カバー１２を機器外殻７に被せる際、左右の両側板部１７，１８のボス部２３の後端が張出部８ａ，８ｂに干渉する。
【００２５】
この干渉部分、つまり左右両側板部１７，１８のボス部２３の後端部のうち、張出部８ａ，８ｂにおける横幅Ｗと同寸法の間隔内に入る部分がガード部１６の内方に向かって前方（図１および図２で上方）に傾斜する斜面２６に形成されている。なお、斜面２６はボス部２３の後端部の全体に形成しても良く、要は、少なくとも張出部８ａ，８ｂにおける横幅Ｗと同寸法の間隔内に入る部分に形成されていれば良い。
【００２６】
取付基体３の前面壁３ａには、取付ねじ１４を通すための通し孔２７が形成されている。また、この前面壁３ａの裏面部には、通し孔２７と同心の座ぐり穴２８が形成されている。この座ぐり穴２８は取付ねじ１４の頭部１４ａを沈み込ませるためのものである。なお、座ぐり穴２８は、ガード部１６の左右両側板部１７，１８のボス部２３の取付ねじ１４についてだけ設ければ良い。
【００２７】
座ぐり穴２８の深さＦは、ボス部２３の斜面２６において開口する螺着穴２５との関係で定められている。つまり、斜面２６に開口する螺着穴２５の周縁部のうち、ガード部１６の後端面Ｍから最も遠い縁部を点Ｐとしたとき、深さＦは後端面Ｍから点Ｐまでの距離ｆと同寸法以上に定められている。
【００２８】
次に、上記構成において、上カバー１２を取付基体３に取り付ける際の作用について説明する。まず、取付基体３を図示しない作業台上に前面が上向きになるように載置する。そして、作業台上の取付基体３にセンサケース６、下収納ケース８および上収納ケース９を取り付け、取付基体３の前面および下収納ケース８の張出部８ａ，８ｂの前面にガスケット２０を取り付ける。続いて、上カバー１２を機器外殻７（下収納ケース８および上収納ケース９）に前方から（作業台上に置かれた取付基体３に対しては上方から）被せてゆく。
【００２９】
この被せる過程で、ガード部１６の左右両側のボス部２３は、図３（ａ）に示すように、上方から下収納ケース８の張出部８ａ，８ｂに接近してゆき、そして図３（ｂ）に示すように、途中で左右のボス部２３の後端部が張出部８ａ，８ｂに当接する。このとき、当接する部分はボス部２３の後端部のうちの斜面２６の部分であるから、その後に上カバー１２が更に被せられてゆくと（取付基体３に接近する下方向に移動してゆくと）、斜面２６の作用により左右両側板部１７，１８に拡開方向の力が加わる。これにより、左右両側板部１７，１８が弾性的に拡開変形する。
【００３０】
この場合、ガード部１６が後面の他に下面を開放しているので、ボス部２３が左右両側板部１７，１８の下面の開放端側に存在していることと相俟って、左右両側板部１７，１８が拡開し易くなる。本実施形態では、更に、ガード部１６の前面（図３で上面）も開放されているので、左右両側板部１７，１８が更に拡開し易くなる。
以後、上カバー１２の下方への移動に伴い、左右両側板部１７，１８の拡開度合が増し、やがて左右のボス部２３が図３（ｃ）に示すように張出部８ａ、８ｂに乗り上げる。そして、図３（ｄ）に示すように左右のボス部２３が張出部８ａ、８ｂを乗り越えると、左右両側板部１７，１８が元の状態に復元し、これにより左右のボス部２３は張出部８ａ、８ｂと取付基体３との間の隙間Ｇ１内に入り込む。
【００３１】
そして、取付基体３を上下反転させ、取付基体３を上カバー１２の後面に接触させた状態で取付ねじ１４を通し孔２７に通し、上カバー１２のボス部２３，２４の螺合穴２５にねじ込み、上カバー１２を取付基体３に固定する。このとき、ガード部１６のボス部２３に螺合された取付ねじ１４の頭部１４ａは座ぐり穴２８内に沈み込む。
【００３２】
そして、上カバー１２が取付ねじ１４の締め付け力により取付基体３に固定されると、取付ねじ１４の締め付け力によりガスケット２０が圧縮されてシール効果を発揮する。
このように本実施形態によれば、上カバー１２を機器外殻７に被せてゆくと、左右のボス部２３に形成された斜面２６の作用により自然に拡開して下収納ケース８の張出部８ａ，８ｂに対する通過が許容される。このため、左右の両側板部１７，１８を両手で押し広げる操作を行わなくとも済み、上カバー１２の取付作業性が向上すると共に、指を側板部１７，１８と張出部８ａ，８ｂとの間に挟む恐れもない。
【００３３】
ところで、フード部１５のボス部２４およびガード部１６のボス部２３の螺着穴２５の内周面には、３６０度（一周）以上連続する完全ねじ山が所定山数以上形成される必要がある。もし、完全ねじ山が所定数未満であると、上カバー１２を取付ねじ１４によって強く締め付けた場合、その締め付け力によってねじ山が破損する。
このことに関し、本実施形態にあっては、ガード部１６のボス部２３に斜面２６が形成されているため、取付ねじ１４を螺着穴２５にねじ込んだときに螺着穴２５の内周面に形成されるねじ山は、斜面２６に開口する部分では、一周（３６０度）未満の不完全ねじ山しか形成されない。
【００３４】
このため、取付基体３のガード部１６の固定部分の裏側に、フード部１５の固定部分に対すると同様に、座ぐり穴２８が設けられていないと仮定すると、フード部１５のボス部２４に対すると同じ長さの取付ねじ１４を用いた場合、ガード部１６のボス部２３に取付ねじ１４を螺着したとき、３６０度以上連続する完全ねじ山の山数が不足し、取付ねじ１４を締め付けたとき、その締め付け力に耐えきれずに、不完全ねじ山は勿論、完全ねじ山も破損する恐れがある。
【００３５】
しかしながら、本実施形態では、取付基体３のガード部１６の固定部分の裏側に座ぐり穴２８が設けられているので、取付ねじ１４をボス部２３の螺着穴２５に螺着したとき、取付基体３の前面から突出し得る取付ねじ１４の長さは、座ぐり穴２８のない場合に比べ、当該座ぐり穴２８の深さ寸法だけ長くなる。そして、座ぐり穴２８の深さは、斜面２６における座ぐり穴２８の螺着穴２５の開口周縁のうち、ガード部１６の後端面Ｍから最も遠い点Ｐまでの距離ｆ以上であるから、取付ねじ１４はボス部２３の螺着穴２５内により深く侵入でき、これにより当該螺着穴２５内に形成できる完全ねじ山の山数は、フード部１５のボス部２４に対すると同じ完全ねじ山の山数以上となる。従って、取付ねじ１４の締め付け力によってボス部２３の螺着穴２５に形成されるねじ山が破損される恐れはない。
【００３６】
なお、本発明は上記し且つ図面に示す実施形態に限定されるものではなく、以下のような拡張或いは変更が可能である。
上カバー１２のガード部１５は前面壁部を有していても良い。但し、この前面壁部はカメラが前方を撮影できるように透明材で形成されていることが必要である。
認識部５には、通信装置とカメラのうち、一方だけを設ける構成としても良い。認識用機器としては、通信装置、カメラ以外の機器を採用しても良い。
不審者を検出するセンサは、レーザビームを出射して検出するものに限られず、電波を出射して検出する構成のものであっても良い。
螺着穴２５には、予めねじ山が形成されていても良い。
【符号の説明】
【００３７】
図面中、３は取付基体、４はセンサ、５は認識部、７は機器外殻、８は下収納ケース、９は上収納ケース、１２は上カバー（カバー）、１３は下カバー、１５はフード部、１６はガード部、１７は左側板部、１８は右側板部、２０はガスケット、２３はボス部、２５は螺着穴、２６は斜面、２７は通し孔、２８は座ぐり穴を示す。
【図１】
0005874494.tif 000002
【図２】
0005874494.tif 000003
【図３】
0005874494.tif 000004
【図４】
0005874494.tif 000005
【図５】
0005874494.tif 000006
【図６】
0005874494.tif 000007
【図７】
0005874494.tif 000008
【図８】
0005874494.tif 000009